(57)【要約】  空気圧式廃棄物移送システムの配管内にある物質を移送する方法であって、本方法において、少なくとも１つの物質移送手段１が移送パイプ内に送り込まれ、圧力差がパイプ内で達成され、圧力差の影響下で、移送手段は、移送パイプセクション内の物質を移送するよう、移動させられる方法。本方法において、移送手段１又は複数の移送手段１、１’の組合せ体を移送配管１００、１０１内に移動させ、移送手段１又は複数の移送手段１、１’の組合せ体を、移送配管内での移送手段１又は複数の移送手段１、１’の組合せ体の移動を制限又はガイドする伝動手段２に接続させ、ダクト１６が、移送手段１内に移送手段１の第１の側から移送手段１の第２の側にかけて貫設され、このダクトを通って搬送空気が移送パイプ内に導かれる。本発明の目的はまた、移送装置及び空気圧式廃棄物移送システムである。【選択図】図１
2015518806.tif 000002
【特許請求の範囲】
【請求項１】
空気圧式廃棄物移送システムの前記配管内にある物質を移送する方法であって、該方法において、少なくとも１つの物質移送手段（１）が移送パイプ内に送り込まれ、圧力差が前記パイプ内で達成され、前記圧力差の影響下で、前記移送手段は、前記移送パイプセクション内の物質を移送するよう、移動させられ、該方法において、移送手段（１）又は複数の移送手段（１、１’）の組合せ体を前記移送配管（１００、１０１）内に移動させること、及び、前記移送手段（１）又は複数の移送手段（１、１’）の組合せ体を、前記移送配管内での該移送手段（１）又は複数の移送手段（１、１’）の組合せ体の移動を制限又はガイドする伝動手段（２）に接続させること、及び、ダクト（１６）が、前記移送手段（１）内に第１の側から第２の側にかけて貫設されており、該ダクトを通って搬送空気が前記移送配管内に導かれることを特徴とする、方法。
【請求項２】
前記伝動手段（２）は、少なくとも１つのリール（３）と該リール（３）の駆動機構（４）とを含む移動機構（３、４）内に配設されていることを特徴とする、請求項１に記載の方法。
【請求項３】
前記伝動手段（２）は、前記リール（３）に巻取り及び前記リール（３）から繰出しされる、ワイヤ、ライン、ケーブル又は同等物のような伝動手段であることを特徴とする、請求項１又は２に記載の方法。
【請求項４】
前記移送手段（１）又は複数の移送手段（１、１’）の組合せ体の前記移動速度は、例えばブレーキ機構（５）により緩められることを特徴とする、請求項１〜３のいずれか１項に記載の方法。
【請求項５】
前記移送手段（１）又は複数の移送手段（１、１’）の組合せ体を、前記移動機構（３、４）を用いて前記伝動手段（２）により単独で、又は負圧及び／又は正圧と一緒に引っ張ることによって前記配管内で移動させることを特徴とする、請求項１〜４のいずれか１項に記載の方法。
【請求項６】
前記移送手段（１）又は複数の移送手段（１、１’）の組合せ体を、前記開始位置から所望の距離だけ第１の方向に、次に、前記開始位置に戻る第２の方向に又は少なくとも前記開始位置の前記方向に、前記移送配管（１００、１０１）内で移動させることを特徴とする、請求項１〜５のいずれか１項に記載の方法。
【請求項７】
前記移送配管（１００、１０１）内での前記移送手段（１）の前記移送距離は、前記伝動手段（２）に作用するブレーキ機構（５）によって、又は前記リール（３）からの前記伝動手段（２）の前記巻出しを制限することによって制限されることを特徴とする、請求項１〜６のいずれか１項に記載の方法。
【請求項８】
前記移送配管内での前記移送手段（１）の前記移動は、前記移送手段が前記開始位置から離れるように移動する際、前記移送手段の前記開始位置の前記パイプセクション（１０１）内の、該パイプセクション（１０１）のバットエンド部（７）と前記移送手段（１）との間の前記スペース内に補充空気を取り込むことによって、又は、前記移送手段が前記開始位置に向かって移動する際、最も適切な補充空気ダクト（１０２）を介して、前記スペースから空気を除去することによって容易になることを特徴とする、請求項１〜７のいずれか１項に記載の方法。
【請求項９】
前記移送手段（１）の前記移動は、前記移送手段の前記開始位置の前記パイプセクション（１０１）内の、該パイプセクション（１０１）のバットエンド部（７）と前記移送手段（１）との間の前記スペース内に空気をもたらすことによって、ポンプ機構（１１５）の前記吹込み側を前記スペースに接続することによって、又は、前記開始位置の前記パイプセクション（１０１）の、該パイプセクション（１０１）のバットエンド部（７）と、前記移送手段（１）との間の前記スペースから、ポンプ機構（１１５）の前記吸引側を前記スペースに接続することにより空気を除去することによって容易になることを特徴とする、請求項１〜８のいずれか１項に記載の方法。
【請求項１０】
前記移送手段（１）に加え、清掃用液（ＣＬ）が前記移送パイプ内にもたらされ、前記清掃用液を前記移送手段（１）又は前記移送手段（１、１’）とともに前記移送配管内で移動させることを特徴とする、請求項１〜９のいずれか１項に記載の方法。
【請求項１１】
前記移送手段（１、１’）と、前記移送パイプ（１００、１０１）の前記内面と前記移送手段との間の前記スペース（Ｖ）内にもたらされる前記清掃用液（ＣＬ）とを、組合せ体として移動させることを特徴とする、請求項１〜１０のいずれか１項に記載の方法。
【請求項１２】
前記方法において、起こり得るパイプ閉塞もまた前記移送手段（１）により除去されることを特徴とする、請求項１〜１１のいずれか１項に記載の方法。
【請求項１３】
前記移送手段（１）は、前記移送配管内で遮断手段として用いられることを特徴とする、請求項１〜１２のいずれか１項に記載の方法。
【請求項１４】
移送される前記物質の一部は、前記ダクト（１４）を通って進む空気流により前記移送手段の前から移送され、また、移送される前記物質の一部は、前記移送手段（１）により移送されることを特徴とする、請求項１〜１３のいずれか１項に記載の方法。
【請求項１５】
空気圧式廃棄物移送システムの廃棄物質用の移送装置であって、該装置は、移送パイプ内に配置される少なくとも１つの移送手段（１）を含み、該移送手段は、圧力差の影響下で、清掃を意図されている前記移送パイプセクション内のパイプ内にある物質を少なくとも１つの方向に移送するよう、移動するように構成されており、前記移送手段（１）は、該移送手段（１）の前記移動を制限又はガイドするように構成されている伝動手段（２）に接続されること、及び、ダクト（１６）が、前記移送手段（１）内に第１の側から第２の側にかけて貫設されていることを特徴とする、装置。
【請求項１６】
前記伝動手段は、少なくとも１つのリール（３）と該リール（３）の駆動機構（４）とを含む移動機構（３、４）内に配設されていることを特徴とする、請求項１５に記載の装置。
【請求項１７】
前記伝動手段（２）は、前記リール（３）に巻取り及び前記リール（３）から繰出しされる、ワイヤ、ライン、ケーブル又は同等物のような伝動手段であることを特徴とする、請求項１５又は１６に記載の装置。
【請求項１８】
ブレーキ機構（５）を備えることを特徴とする、請求項１５〜１７のいずれか１項に記載の装置。
【請求項１９】
補充空気ダクト（１０２）であって、弁手段（１０４）が設けられているとともに、前記移送手段（１）の前記開始位置の前記パイプセクション（１０１）の、該パイプセクション（１０１）のバットエンド部（７）と前記移送手段（１）との間のセクション内に配置されている補充空気ダクト（１０２）を備えることを特徴とする、請求項１５〜１８のいずれか１項に記載の装置。
【請求項２０】
ポンプ機構（１１５）であって、該ポンプ機構（１１５）の前記吸引側及び／又は前記吹込み側が、前記移送手段（１）の前記開始位置の前記パイプセクション（１０１）の、該パイプセクション（１０１）のバットエンド部（７）と前記移送手段（１）との間のセクションに接続することができるポンプ機構（１１５）を備えることを特徴とする、請求項１５〜１９のいずれか１項に記載の装置。
【請求項２１】
連結手段（２’）により互いに接続される複数の移送手段（１、１’）があることを特徴とする、請求項１５〜２０のいずれか１項に記載の装置。
【請求項２２】
清掃用液（ＣＬ）を、前記移送パイプ内に、好ましくは、前記移送手段（１）又は複数の移送手段（１、１’）との接続部内にもたらす手段を備えることを特徴とする、請求項１５〜２１のいずれか１項に記載の装置。
【請求項２３】
前記移送手段（１）は、前記移送配管内で遮断手段として機能するように構成されていることを特徴とする、請求項１５〜２２のいずれか１項に記載の装置。
【請求項２４】
逆止弁等の弁手段（２０）が、前記移送手段（１）の前記ダクト（１６）内に配置されることを特徴とする、請求項１５〜２３のいずれか１項に記載の装置。
【請求項２５】
空気圧式廃棄物移送システムであって、該システムは、移送配管と、該移送配管内に移送される前記物質を給送する手段と、前記移送配管内で圧力差を達成する手段と、前記物質を前記搬送空気から分離する分離機構と、を備え、該システムは、複数の移送機構であって、該移送機構のそれぞれは、移送パイプ内に配置される少なくとも１つの移送手段（１）を含み、該移送手段は、圧力差の影響下で、移送パイプセクション内のパイプ内にある物質を少なくとも１つの方向に移送するよう、移動するように構成されている、複数の移送機構を備えること、前記移送手段（１）は、該移送手段（１）の前記移動を制限又はガイドするように構成されている伝動手段（２）に接続されること、複数の移送機構の前記移送手段（１（Ｉ）、１（ＩＩ）、１（ＩＩＩ）、１（ＩＶ））は、所望の順（Ｉ、ＩＩ、ＩＩ、ＩＶ）で前記パイプセクション内に収集された物質を、前記移送配管内で進行方向に、好ましくは分離機構に向かって移送するように構成されていること、並びに、ダクト（１６）が、前記移送手段（１）内に該移送手段（１）の第１の側から該移送手段（１）の第２の側にかけて貫設されていることを特徴とする、システム。
【請求項２６】
前記システムにおいて、前記移送手段（１（Ｉ）、１（ＩＩ）、１（ＩＩＩ）、１（ＩＶ））の移送距離は、前記移送順での前の清掃セクションの前記移送手段（１（Ｉ）、１（ＩＩ）、１（ＩＩＩ））の移送移動、すなわち、前記移送パイプ内での移送距離が、前記移送順での次の移送機構（１（ＩＩ）、１（ＩＩＩ）、１（ＩＶ））の前記移送手段の前記パイプセクション内に常に僅かに延びるように取り決められており、該パイプセクションから前記移送手段が進行方向に前記物質を移送することを特徴とする、請求項２５に記載のシステム。
【請求項２７】
前記移送装置の前記伝動手段（２）は、少なくとも１つのリール（３）と該リール（３）の駆動機構（４）とを含む移動機構（３、４）内に配設されていることを特徴とする、請求項２５又は２６に記載のシステム。
【請求項２８】
前記移送装置の前記伝動手段（２）は、前記リール（３）に巻き取られるとともに前記リール（３）から繰り出される、ワイヤ、ライン、ケーブル又は同等物のような伝動手段であることを特徴とする、請求項２５〜２７のいずれか１項に記載のシステム。
【請求項２９】
前記システムにおいて、前記移送手段（１）を、前記移動機構（３、４）を用いて前記伝動手段（２）により単独で、又は負圧及び／又は正圧と一緒に引っ張ることによって前記配管内で戻る方向に移動させることを特徴とする、請求項２５〜２８のいずれか１項に記載のシステム。
【請求項３０】
補充空気ダクト（１０２）であって、弁手段（１０４）が設けられているとともに、前記移送手段（１）の前記開始位置の前記パイプセクション（１０１）の、該パイプセクション（１０１）のバットエンド部（７）と前記移送手段（１）との間のセクション内に配置されている補充空気ダクト（１０２）を前記移送装置が備えることを特徴とする、請求項２５〜２９のいずれか１項に記載のシステム。
【請求項３１】
ポンプ機構（１１５）であって、該ポンプ機構（１１５）の前記吸引側及び／又は前記吹込み側が、前記移送手段（１）の前記開始位置の前記パイプセクション（１０１）の、該パイプセクション（１０１）のバットエンド部（７）と前記移送手段（１）との間のセクションに接続することができるポンプ機構（１１５）を前記移送装置が備えることを特徴とする、請求項２５〜３０のいずれか１項に記載のシステム。
【請求項３２】
連結手段（２’）により互いに接続される複数の移送手段（１、１’）があることを特徴とする、請求項２５〜３１のいずれか１項に記載のシステム。
【請求項３３】
清掃用液（ＣＬ）を、前記移送パイプ内に、好ましくは、前記移送手段（１）又は複数の移送手段（１、１’）との接続部内にもたらす手段を前記移送装置が備えることを特徴とする、請求項２５〜３２のいずれか１項に記載のシステム。
【請求項３４】
前記システムにおいて、前記移送手段（１）は、前記移送配管内で遮断手段として機能するように構成されていることを特徴とする、請求項２５〜３３のいずれか１項に記載のシステム。
【請求項３５】
前記移送手段（１）の前記移動は、前記伝動手段の動作を遅くすることによって速度を緩められることを特徴とする、請求項２５〜３４のいずれか１項に記載のシステム。
【請求項３６】
逆止弁等の弁手段（２０）が、前記移送手段（１）の前記ダクト（１６）内に配置されることを特徴とする、請求項２３〜３５のいずれか１項に記載のシステム。
【発明の詳細な説明】
【技術分野】
【０００１】
本発明は、包括的には、部分真空搬送システム等の物質ハンドリングシステムに関し、より詳細には、家庭廃棄物の移送等の廃棄物の収集移送に関する。
【０００２】
本発明の目的は、請求項１のプリアンブルに記載の方法である。
【０００３】
また、本発明の目的は、請求項１５のプリアンブルに記載の移送装置である。
【０００４】
また、本発明は、請求項２５に記載のシステムに関する。
【背景技術】
【０００５】
圧力差又は吸引によってつくり出された空気流によって廃棄物が配管内で移送されるシステムが、当該技術分野において知られている。これらのシステムにおいて、廃棄物は配管内の長距離を移送される。圧力差を達成するのに部分真空装置を使用することがこれらのシステムに一般的であり、上記装置では、負圧が、真空ポンプ又はエジェクター装置等の部分真空発生器によって移送パイプ内で達成される。移送パイプは通常、少なくとも１つの弁手段を備え、弁手段を開閉することによって、移送パイプ内に入る補充空気が調節される。これらのシステムでは、物質の投入端における投入点が用いられ、その投入点から、廃棄物等の物質がシステム内に移送される。システムはごみシュートも備えることができる。このごみシュート内に廃棄物質等の物質が給送され、このごみシュートから、移送される物質が、排出弁手段を開くことによって移送パイプ内に移送される。その場合、移送パイプ内で作用する負圧の補助により達成される吸引作用によって、また、ごみシュートを介して作用する周囲空気圧によって、例えば袋に詰められた廃棄物質等の物質がごみシュートから移送パイプ内に移送される。廃棄物を収集及び移送する当該技術において既知の従来の解決策は、あらゆるサイズの物質片が搬送空気とともに移送配管内で移送されるように、その電力要件がかなり高く要求される。公開文献である特許文献１から、循環路（circuit）として接続することができる移送配管を洗浄する方法及び装置が知られている。この公開文献の解決策に加え、システムにおける配管の、循環路として接続することができないセクションも、清掃せねばならない。
【先行技術文献】
【特許文献】
【０００６】
【特許文献１】国際公開第２００９／０８０８８５号
【発明の概要】
【発明が解決しようとする課題】
【０００７】
本発明の目的は、廃棄物用の空気圧式パイプ搬送システムの移送配管内の物質を移送するための、全く新規のタイプの解決策を達成し、その解決策よって従来技術の解決策の欠点を回避することである。本発明の別の目的は、廃棄物用の部分真空移送システムの移送パイプの物質を移送するのに適用可能な解決策を達成し、その解決策によって移送作業（event）を向上させることができることである。本発明の更に別の目的は、物質の移送に加え、移送配管を清掃するのにも適した、より詳細には、移送配管の分岐パイプセクションを清掃するのにも適した解決策を達成することである。
【課題を解決するための手段】
【０００８】
本発明は、移送パイプセクション内に配置された、移送パイプセクション内の物質を移送する移送手段が、吸引、吹込み及び／又は圧力差の補助によって移送パイプ内で少なくとも第１の方向に移動し、移動距離が、リールに接続されるワイヤ手段、ケーブル手段又はライン手段等の、移送手段に接続される伝動手段によって、制限又はガイドされるという概念に基づく。
【０００９】
本発明による方法は主として、請求項１の特徴部に記載されているものによって特徴付けられる。
【００１０】
また、本発明による方法は、請求項２〜１４に記載されているものによって特徴付けられる。
【００１１】
本発明による移送装置は主として、請求項１５の特徴部に記載されているものによって特徴付けられる。
【００１２】
また、本発明による装置は、請求項１６〜２４に記載されているものによって特徴付けられる。
【００１３】
本発明によるシステムは、請求項２５に記載されているものによって特徴付けられる。
【００１４】
また、本発明によるシステムは、請求項２６〜３６に記載されているものによって特徴付けられる。
【００１５】
本発明による解決策は、多数の重要な利点を有する。移送手段内に第１の側から第２の側にかけてダクトを貫設することによって、搬送空気流又は補充空気が移送手段のダクトを通ることが達成される。この場合、空気流により、廃棄物質の一部、例えば大サイズ及び中サイズの廃棄物が、移送手段の前から、移送方向に搬送される。物質の残部、通常は小さな廃棄物質は、移送手段によって移送されて移送パイプ内で変位する。このような構成は、物質用の従来の空気圧式パイプ搬送システムに比べ、空気圧式廃棄物移送システムの搬送空気流が、単に搬送空気流だけの補助によって小さな物質片を移送する大きさにされる必要がないという利点を有する。この場合、著しい省力を達成することができる。本発明による解決策により、移送手段がその開始位置に戻る。ワイヤ、ライン、ケーブル又は同等物等の伝動手段であって、リール上に配設されて移送手段に接続される伝動手段を用いることによって、パイプセクションを清掃するとともに処理される物質をパイプセクションから移送するのに有効かつ動作上確実な解決策が達成される。主として吸引、吹込み及び／又は圧力差の補助によって移送手段を第１の方向に移動させると、移送手段は伝動手段に接続した状態に保たれ、その場合、必要であれば、配管内での移送手段の移動距離を制限することができる。移送手段の移動速度は、必要であれば、伝動手段により落とすことができる。ブレーキ機構を用いることによって、伝動手段の巻出しの速度を落とすことができる。したがって、伝動手段の補助によって、移送手段の移動距離を制限することができ、移送手段の復帰移動を、第２の方向に、好ましくは開始位置に戻るように、部分的に又は完全に達成することができる。伝動手段により、移送手段の移動を、所望の方向に、例えば配管のＹ分岐内に進ませるようにガイドすることもできる。パイプセクション内で吹込み又は吸引を行うように接続されているポンプ装置を更に用いることによって、移送手段の移動を促進させることができる。したがって、移送手段を、例えば、部分真空発生器の吸引を用いることによって第１の方向に、また、吹込みにより逆に、有効に移動させることができ、代替的には、単独で又は吹込みに加えて伝動手段によって引き戻すことができる。物質移送システムの移送配管において本発明による複数の機構を接続することによって、所望の順、より詳細にはプログラムされた順で、物質を分離機構に向けて移送することができる。移送手段は、移送配管内で遮断手段として用いることができる。内部に一部として補充空気ダクトがある移送手段を用いることによって、移送手段を通して移送配管内に補充空気を導くことができる。本発明による解決策は、物質移送システム、より詳細には廃棄物用の移送システムにおいて用いることができる。本発明による解決策は、食品産業の食品廃棄物用の移送システムにも適している。本発明による解決策により、移送配管の分岐セクションを清掃することもできる。移送手段と併せて清掃用液をパイプセクション内に導くことによって、清掃を更に高めることができる。ともに接続される移送手段を用いることによって、清掃を更に高めることができ、清掃用液用のスペースを得ることができる。移送手段と清掃用液スペースとの組合せ体を、パイプセクションを清掃するように効果的に移動させることができる。本発明による解決策により、移送される種々の多様な物質の移送とともに又はそれらの移送の後で配管が清掃されるので分別成果が向上する。この場合、種々の延長部に合わせて優れた清掃を達成することができる。本発明による解決策によって、搬送される物質と清掃される移送パイプの壁との間の摩擦が低いままとなるため、エネルギーを節約することができる。本発明による解決策により、物質パイプ搬送システムの衛生上の問題及び臭気上の問題が改善される。本発明による解決策は、移送配管の非常に広範のサイズ範囲、通常は５０ｍｍ〜５００ｍｍのパイプ直径での使用に適している。
【００１６】
以下、本発明を、添付の図面を参照しながら一実施形態によってより詳細に説明する。
【図面の簡単な説明】
【００１７】
【図１】本発明による解決策の一実施形態の簡略図である。
【図２】本発明による解決策の一実施形態の、第２の段階における簡略図である。
【図３ａ】本発明の一実施形態の移送手段の断面図である。
【図３ｂ】端面から見た場合の、本発明の一実施形態の第２の移送手段を示す図である。
【図３ｃ】図３ｂの移送手段の断面図である。
【図３ｄ】本発明の一実施形態による１つの移送手段を示す図である。
【図３ｅ】本発明の一実施形態による１つの移送手段を更に示す図である。
【図４】本発明による解決策の一実施形態の図である。
【図５】本発明による解決策の一実施形態の図である。
【図６】本発明による解決策の一実施形態の図である。
【図７】本発明による解決策の一実施形態の、第２の段階における図である。
【図８】本発明による解決策の一実施形態の、第１の段階における図である。
【図９】本発明による解決策の一実施形態の、第２の段階における図である。
【図１０】本発明による解決策の一実施形態の、第３の段階における図である。
【図１１】本発明によるシステムの１つの実施形態を示す図である。
【図１２】本発明による解決策の別の実施形態の図である。
【図１３】本発明による解決策の一実施形態の種々の段階のうちの１つにおける動作を示す図である。
【図１４】本発明による解決策の一実施形態の種々の段階のうちの１つにおける動作を示す図である。
【図１５】本発明による解決策の一実施形態の種々の段階のうちの１つにおける動作を示す図である。
【図１６】本発明による解決策の一実施形態の種々の段階のうちの１つにおける動作を示す図である。
【図１７】本発明による解決策の一実施形態の種々の段階のうちの１つにおける動作を示す図である。
【図１８】本発明による解決策の一実施形態の種々の段階のうちの１つにおける動作を示す図である。
【図１９】本発明による解決策の一実施形態の種々の段階のうちの１つにおける動作を示す図である。
【発明を実施するための形態】
【００１８】
図１及び図２は、本発明による解決策の１つの簡略実施形態を示す。これらの図は、空気圧式物質移送システムの移送パイプ１００の一部と、投入パイプ１０３によって移送パイプ１００に接続されている投入点６０とを示す。弁手段１０５が、投入パイプ１０３と移送パイプ１００との間に配置されている。投入点は、送込み容器６１、場合によっては、例えば回転成形機である物質成形機６２も備える。家庭廃棄物、廃紙、段ボール又は他の廃棄物等の物質が、例えば、投入点の送込み容器６１内に給送され、随時、そこから進んで移送配管１００内に導かれる。ハンドリングされる物質は、物質成形機６２内で成形されてコンパクトにされ、ハンドリング後、例えば空気圧式パイプ搬送システムの駆動機構（図示せず）がつくり出す吸引及び／又は圧力差によって、投入パイプ１０３を介して移送配管１００内に導かれる。
【００１９】
パイプ部１０１が移送配管１００とつながって配置されており、このパイプ部につながって移送装置１、２、３、４、５が配置されている。移送装置は移送手段１を含み、図では、移送手段１は、図の実施形態では移送配管の移送パイプセクション１００の延長部であるパイプ部１０１に配置されている。
【００２０】
移送手段１は、その形状に関して、パイプの内面の断面形状に従って、移送手段１の外壁がパイプセクションの内面に当接するように構成されている。移送手段１の１つの実施形態がより詳細に図３ａに示されている。移送手段１は、実際の移送手段部１０と、その支持部１１、１２、１３、１４とを備える。図３ａの実施形態では、移送手段の支持部は、第１のバットエンド部１１と、第２のバットエンド部１２と、また、第１のバットエンド部と第２のバットエンド部とをつなぐ連結部１３とを含む。連結部１３は、移送手段部１０を貫通している。連結部１３は、可撓性であることが好ましく、その場合、この連結部１３により曲管（bends）を移動することができる。１つの実施形態によれば、移送手段部１０は可撓性材料からなる。清掃部１０は通常、交換可能な部品である。第１のバットエンド部１１は、ナット等の固定手段により固定部に固定される。第１のバットエンド部１１側の連結部１３の少なくとも端部にねじ山（示さず）が形成されており、これらのねじ山にナット１４の対応するねじ山が嵌合する。移動機構の伝動手段２、例えばワイヤ、ライン、ケーブル又は同等の伝動手段用の固定点１５が、バットエンド部の少なくとも１つに配置されている。図３ａの実施形態では、固定点１５はフックである。
【００２１】
図３ｂ及び図３ｃは、本発明の移送手段の第２の実施形態を示し、この実施形態では、少なくとも１つの孔、すなわちダクト１６、より詳細には補充空気ダクトが、移送手段１を貫通している。図には複数の補充空気ダクト１６がある。図の移送手段の実施形態では、４つの補充空気ダクト１６がある。図３ｃの実施形態は、例えば、パイプの表面上にある物質を引き離すのに用いることができる。この場合、補充空気が、移送手段１の第１の側から第２の側へダクト１６に沿って移送手段１を通過することができる。移送手段によってパイプの壁から引き離される可能性のある物質又はパイプ内の他の物質は、例えば、部分真空発生器がつくり出す吸引又は搬送空気流によって、配管内で進行方向に変位する。図３ｄは、逆止弁２０が補充空気ダクト１６内に配置されている、移送手段の一実施形態を示し、その場合、補充空気は、一方向にのみダクトを通過することができる。逆止弁２０は、例えばゴムフラップとすることができる。
【００２２】
図３ｅは、本発明の移送手段１の更に別の実施形態を示し、この実施形態では、移送手段は、複数の清掃部材１７を備え、清掃部材１７の壁１８、１９は、図３ｅでは直交方向からアルファ（α）の角度で前方に傾斜している。この場合、清掃部材が傾斜している方向に（図３ｅでは右に）移送手段を移動させると、その場合、清掃部材はパイプの内面を効果的に擦り、移送手段が後方に（図３ｅでは右に）変位すると、清掃部材は内方に曲がることで移動しやすくなる。
【００２３】
移送装置は、移送手段１用の移動装置を含み、この移動装置は、図１の実施形態では、駆動機構４によりリール軸の回りに回転することができるリール３に巻き取られる伝動手段２を含む。したがって、ワイヤ、ライン、ケーブル等のような伝動手段２は、移送手段１がリールから離れる方向に、例えば図１の位置から図２の位置に、移送配管内で移動する際、リール３から繰り出すことができる。この場合、リール３は、第１の方向にリール軸の回りに回転する。リールは例えば、例えば１００ｍ〜２００ｍの例えば１ｍｍケーブルがリールに収まるようなものとすることができる。このタイプのリールの例の１つは例えば、大きな釣竿用リールである。リール３の駆動機構４は例えば、手動式、電動式、空気圧作動式又は油圧作動式とすることができる。移送パイプ１００内での移送手段１の移動は、ブレーキ機構５により速度を緩めることができる。ブレーキ機構は、リール内／リール上又は駆動機構４内にあることができることが好ましい。図の実施形態では、明確にするため、ブレーキ機構は伝動手段２に作用するように表されている。図では、ブレーキ機構５は、リール３とパイプセクション１０１の端との間に配置されている。孔７が、パイプセクション１０１の端壁７内に形成されており、この孔を通って伝動手段２がパイプ部１０１に至る。ブレーキ機構５は、移送手段１が、第１の位置すなわち開始位置（図２の位置へ向けての図１の位置）から離れる際、移送手段１の速度を落とすことが好ましい。この場合、移送手段が部分真空発生器の吸引によってつくり出される搬送空気流とともに自由に移動することが可能となる状況と比べ、清掃成果が向上する。伝動手段２の動作の長さにより、移送配管内での移送手段１の移動距離を制限することができる。移送手段の移動距離、すなわち移送セクションを通過し終わると、リール３が駆動機構４によりリール軸の回りに回転し、その場合、伝動手段２がリール３に巻き取られる際、移送手段１がその開始位置（すなわち図１の位置）に向かって伝動手段２とともに後方に引っ張られる。後方移動は、単に移送システムの部分真空発生器若しくはファンがつくり出す圧力差（吹込み等）により、又は移動機構３、４と併せて行うこともできる。この場合、伝動手段２は、パイプセクションから出てリール３により巻き取られる。
【００２４】
図１及び図２では、パイプセクション１０１のバットエンドエリアの、パイプセクション１０１のバットエンド７と移送手段１の開始位置（図１）との間のスペース内に、補充空気ダクト１０２が更に配置されている。弁手段１０４が、補充空気ダクト１０２内にある。補充空気ダクトの補充空気弁１０４は、移送手段１が配管内で移動する場合、開いている。
【００２５】
図４及び図５は、パイプセクションのバットエンドエリアの、移送手段１とパイプセクションのバットエンド７との間のスペース内に、正圧又は負圧をつくり出すポンプ装置が配置されている一実施形態を示す。これにより、配管内での伝動手段１の移動が促進される。図４の状況では、移送手段１を開始位置から離れるように移動させようとしている。移動方向は矢印によって図に表されている。リール３の回転方向も矢印によって図に表されている。この状況では、駆動機構１１６により駆動されるポンプ機構１１５が、ダクト１１３、１１６に沿って吹込みを行うように圧力側すなわち吹込み側からパイプセクション１０１のバットエンド７と移送手段１との間のスペース内に接続されている。ダクト１１３における弁手段１１４はこの場合では開いている。ポンプ１１５の吸引側は、吸気ダクト１１７に接続されており、この吸気ダクトの弁１１８は開いている。ポンプ１１５の吹込み側が、図４によって示されている方法で接続されると、移送手段１を開始位置から離すことが達成されるか又は少なくとも促進される。
【００２６】
図５の状況では、移送手段を開始位置に向けて移動させようとしている。移動方向は矢印によって図５に表されている。リール３の回転方向も矢印によって図に表されている。この状況では、駆動機構１１６により駆動されるポンプ機構１１５は、吸引側からダクト１１１、１１６に沿ってパイプセクション１０１のバットエンド７と移送手段１との間のスペース内に接続されている。ダクト１１１における弁１１２はこの場合では開いている。ダクト１１７の弁は閉じている。これに対応して、ダクト１１３の弁１１４は閉じている。ポンプの吹込み側は、排出ダクト１１９に吹込みを行うように接続されており、排出ダクトの弁１２０は開いている。ポンプ機構１１５により達成される吸引により、開始位置へ向かう移送手段１の移動が達成されるか又は少なくとも促進される。
【００２７】
図６及び図７は、パイプセクション１０１が、移送パイプ１００と或る角度を形成する、移送配管１００のＹ分岐である一実施形態を示す。移送パイプセクション１００を清掃することが望まれる場合、空気圧式移送システムの部分真空発生器（示さず）の吸引側が移送パイプ１００に接続され、その場合、補充空気ダクト１０２における補充空気弁１０４を開くと、移送手段が図６の位置から図７の状況へと移り、場合によっては、配管内に更に進む。伝動手段２（例えばライン、ワイヤ又はケーブル）は、例えばその長さに応じて、移送手段の移動を制限する。所望の移送移動／清掃移動がもたらされると、移送手段は伝動手段２とともに巻き上げられて開始位置（図６）に戻る。したがって、ここでは、パイプセクション１００の空気流により移送手段が分岐を通り過ぎる可能性もあるにもかかわらず、伝動手段２により移送手段をパイプセクション１０１の適正な分岐内にガイドすることができる。
【００２８】
図８、図９及び図１０は、移送手段に加え、清掃用液ＣＬが用いられる一実施形態を示す。これらの図の実施形態では、２つの移送手段１、１’があり、これらの移送手段１、１’は清掃移動方向に互いから或る距離のところに配置されている。第１の移送手段１及び第２の移送手段１’は、連結手段２’により互いにつながっている。連結手段２’は例えば、ワイヤ、ライン、ケーブル又はロッドである。第１の移送手段１と第２の移送手段１’との間にスペースＶが形成されており、このスペースＶは、第１の移送手段１のバットエンドと、第２の移送手段１’のバットエンドと、その時点でスペースＶの地点にある、配管１００、１０１の内壁とによって境界が定められている。移送手段１、１’に加え、清掃用液ＣＬを用いることが望まれる場合、清掃用液は、弁１０７を開くことによって、清掃用液槽１０８から、清掃用液用の投入分岐カップリング１０６に沿ってスペースＶ内に導かれる。清掃用液用の投入分岐カップリング１０６は、パイプセクション１０１の、第１の移送手段１と第２の移送手段１’との間のスペースＶが移送手段１、１’の開始位置に位置する地点に構成されていることが好ましい。図９は、清掃用液ＣＬがスペースＶ内に導かれている状況を示す。この後、移送手段１、１’とスペースＶ内の清掃用液ＣＬとを組合せ体として、例えば図１及び図２における個々の移送手段に関して先に示したものと同等の方法で移動させることができる。清掃用液ＣＬは、例えば消毒清掃用液とすることができる。当然のことながら、清掃用液用のスペースは移送手段内に配置することもできる。
【００２９】
図１１は、物質移送システム、より詳細には空気圧式廃棄物移送システムの物質移送配管に接続されている場合の、本発明の一実施形態によるシステムの一部を更に示しており、この図は、移送配管１００、１００Ａ、１００Ｂの一部を示す。本発明の一実施形態による複数の移送機構が、移送配管内に配置されており、これらの移送機構は、移送手段１と、移送手段１に接続され、リール３に巻き取られるワイヤ、ライン、ケーブル又は同等手段である、伝動手段２と、リールの駆動機構４とを含む。このシステムにおいて、物質移送システムの移送配管１００、１００Ａ、１００Ｂのパイプセクションは、或る特定の順、図１１では番号順（Ｉ、ＩＩ、ＩＩＩ、ＩＶ）で移送手段１（Ｉ）、１（ＩＩ）、１（ＩＩＩ）、１（ＩＶ）により清掃／払拭される。このシステムにおいて、移送手段１（Ｉ）、１（ＩＩ）、１（ＩＩＩ）、１（ＩＶ）の移送距離は、移送順（各移送装置の移送順にはローマ数字Ｉ、ＩＩ、ＩＩ、ＩＶが付されている）での前の移送セクションの移送手段１（Ｉ）、１（ＩＩ）、１（ＩＩＩ）の移送移動距離、すなわち、移送距離が、移送順での次の移送機構１（ＩＩ）、１（ＩＩＩ）、１（ＩＶ）の移送手段のパイプセクション内に常に僅かに延びるように取り決められており、そのパイプセクションから移送手段が進行方向に物質を清掃／移送する。この場合、移送方向に、移送手段１（Ｉ）、１（ＩＩ）、１（ＩＩＩ）、１（ＩＶ）の前方へそれらの移送手段とともに移送される、パイプセクション内の物質、あり得る清掃廃液又は他の物質が、パイプセクションから常に移送順（Ｉ、ＩＩ、ＩＩ、ＩＶ）での次の移送機構の移送手段のパイプセクションに進行方向に移送される。移送手段１（Ｉ）、１（ＩＩ）、１（ＩＩＩ）、１（ＩＶ）の移送距離は、移送手段１（Ｉ）、１（ＩＩ）、１（ＩＩＩ）、１（ＩＶ）に接続されている伝動手段２により制限される。伝動手段２はその第２の端がリール３上に配設されており、リール３は必要であれば駆動機構４により駆動される。図１１では、パイプセクション１００Ａが最初（Ｉ）に、パイプセクション１０１内にある開始位置から、この図の主移送パイプ１００まで延びる移送距離、すなわち移送移動距離だけ、移送手段１（Ｉ）を変位させることによって、清掃／払拭される。図では、移送手段１（Ｉ）は、一部が主移送パイプの側にある位置で示されている。次に、移送手段１（Ｉ）は変位して第１のパイプセクション１００Ａに戻ることができると同時に、順が２番目（ＩＩ）であることを意図されているパイプセクションの移送手段１（ＩＩ）が、この第２の移送手段により第２のパイプセクションの物質を清掃／払拭するように既に変位し始めることができ、図では、第２のパイプセクションは、パイプセクション１０１内の、２番目（ＩＩ）であることが意図されているパイプセクションの開始位置にある。２番目であることが意図されている移送セクションは、例えば図では移送方向（矢印により図に表されている）に更に進行方向に延びている。この場合、第２の移送セクションは、例えば、３番目に払拭されることが意図されている移送パイプセクション１００Ｂが好ましくは主移送パイプを僅かに越えるように主移送パイプに接続されている地点まで、延びることができる。この後、物質が移送され、及び／又は、３番目（ＩＩＩ）であることが意図されるパイプセクション１００Ｂは、その移送手段１（ＩＩＩ）により清掃／払拭される。最後に、物質が移送され、及び／又は、図１１では４番目（ＩＶ）であることが意図されているパイプセクションが清掃／払拭され、このパイプセクションは、主移送パイプ１００内の、移送方向における、第４の移送装置の移送手段１（ＩＶ）により２番目（ＩＩ）に清掃／払拭されることが意図されているパイプセクションの延長部であり、この移送手段は、図では、パイプセクション１０１内の、４番目（ＩＶ）であることが意図されているパイプセクションの開始位置内にある。このように、システムにおける移送配管又は移送配管の或るセクションに収集されている所望の物質が、続けざまに移送されるか又は１つのパイプセクションを清掃／払拭させられる。
【００３０】
図における移送手段１（Ｉ）、１（ＩＩ）、１（ＩＩＩ）、１（ＩＶ）は、栓状であり、その場合、配管１００、１００Ａ、１００Ｂ、１０１の遮断手段として用いることもできる。この場合、移送手段は、遮断弁として配管内で機能することができ、場合によっては、その遮断弁を空気圧式物質移送システムの配管の遮断弁のうちの少なくとも幾つかの代わりに配管内で用いることができる。
【００３１】
図１２は、物質投入点に関連した、本発明の一実施形態による解決策の動作を更に示す。図には、払拭されて投入パイプ１０３を介して移送配管１００に入ることが望まれる物質Ｗ、より詳細には廃棄物質が、物質投入点６０の送込み容器内にある状況が示されている。物質を投入パイプ内に移送する前に、物質は、場合によっては、物質をコンパクトにして配管１０３、１００により良く適するように成形する、物質の回転成形機６２、すなわちフォーマッターの中に導かれる。移送手段１の開始位置を含むパイプセクション１０１が、パイプセクション１０１につながっている移送パイプ１００に関連して配置されている。移送パイプセクション１０１は、必要であれば移送手段１を移送配管内に導くことができるように主移送パイプに対して或る角度にある。図の実施形態では、図３ｂ及び図３ｃに示されているように補充空気ダクト１６が移送手段１を貫通している。装置は、リール３に巻き取るのに適したワイヤ、ライン、ケーブル又は他の伝動手段等の伝動手段２を含む。図には、リールとその駆動機構とを備える、既に上記で示した移動装置もある。ブレーキ５もまた、図に別個に示されている。移送パイプセクションは、補充空気ダクト１０２とそこにおける補充空気弁とを備える。移送パイプ１００は、移送手段の開始位置のパイプセクション１０１の交点を（図では右に）越えて延びている。図では、第２の補充空気ダクト１２２が接続されているとともにそこにおける第２の補充空気弁１２４が接続されている収束部１２５が、移送パイプ１００におけるこのセクション内のバットエンドエリアに形成されている。この実施形態の動作は、より詳細に図１３〜図１９に示される。
【００３２】
図１３〜図１９は、動作を本発明の１つの実施形態のその種々の段階で示す。図１３は、移送配管１００内を進行方向に移送されることが意図されている物質Ｗが送込み容器６１内にある開始状況を示す。移送手段１が、パイプセクション１０１内の開始位置にある。補充空気ダクト１０２、１２２の補充空気弁１０４、１２４が閉じている。
【００３３】
図１４では、物質Ｗが、投入パイプ１０３の弁１０５を開くことによって配管１００内に給送されている。物質は変位して、回転成形機を通って投入配管を介して移送パイプ１００に入る。補充空気ダクト１２２の補充空気弁１２４は開いている。この場合、廃棄物は、物質用の空気圧式パイプ搬送システムの部分真空発生器がつくり出す圧力差及び搬送空気流の補助によって配管内を進行方向に移送される。投入段階では、部分真空発生器がつくり出す吸引は実際の移送段階におけるよりも小さい。また、エネルギー消費もより小さい。
【００３４】
図１５では、所望の量（図では全て）の物質Ｗが、送込み容器６１から移送配管１００内に変位されている。ここで、移送手段１をパイプセクション１０１にあるその開始位置から移送配管１００内に送り込むことが望まれる。第２の補充空気ダクト１２２における第２の補充空気弁１２４は閉じている。パイプセクション１０１における補充空気ダクト１０２の補充空気弁１０４は開いている。この場合、廃棄物質Ｗを移送するのに用いる補充空気が移送手段１の補充空気ダクト１６を介して得られる。移送手段１は、ワイヤ、ライン、ケーブル又は同等物のような伝動手段２がリール３から繰り出されると移動し始める。移送手段１のダクト１６にわたって生じる圧力差により、移送手段１が配管内で移動する。一方で、移送手段１のダクト１６から流れる補充空気を吹き込むことにより、場合によっては移送手段の前方に進む物質凝集物に吹き込み、その場合、特に、閉塞形成を被りにくくなる。他方で、物質凝集物が清掃手段１の前方に形成され、ダクト１６の一部を閉鎖する場合、移送手段１の両側の圧力差が増す。これにより今度は、移送手段の変位、したがって、配管内での物質移送能力が高められる。
【００３５】
空気流の圧力損失が、ダクトに対して例えば１つの実施形態では５０ｍｂａｒ〜１００ｍｂａｒの範囲で生じる。この場合、１つの実施形態では、移送手段１を移動させるのに３５ｋｐ〜７０ｋｐ（０．３４ｋＮ〜０．６９ｋＮ）の範囲の力が達成される。通常、１つの実施形態による廃棄物移送用途では、物質用の移送配管内で３００ｍｂａｒ〜６００ｍｂａｒの（負の）圧力が利用可能である。搬送空気流又は補充空気が移送手段１のダクト１６を通って進む場合、空気流により、廃棄物質Ｗの一部、例えば大サイズ及び中サイズの廃棄物が、移送手段の前から、移送方向に搬送される。物質の残部、通常は小さな廃棄物質は、移送手段１によって移送されて移送パイプ内で変位する。このような構成は、物質用の従来の空気圧式パイプ搬送システムに比べ、搬送空気流が、単にその搬送空気流だけの補助によって小さな物質片を移送する大きさにされる必要がないという利点を有する。この場合、著しい省力を達成することができる。
【００３６】
図１６では、配管１００は移送手段により清掃され、場合によっては、移送配管１００内の物質Ｗが進行方向に（図１６における矢印）移送される。移送手段１がその開始位置から配管１００内に変位すると、双方の補充空気ダクトの補充空気弁は開くことができる。図１６では、双方の補充空気ダクト１０２及び１２２の弁１０４、１２４は開いている。空気圧式物質移送システムの部分真空発生器によって配管内で達成される吸引／圧力差により、移送効率を高めることができる。
【００３７】
図１７は、移送手段１が開始位置に向かって戻る復帰移動を示す。この図の場合、復帰移動に駆動機構４が用いられ、伝動手段２が、この駆動機構によって駆動されて、リール３に巻き取られる。移送手段１が変位して開始位置に向かって戻る際、移送手段１の復帰移動において、移送パイプ１００から分離した、或る量の、通常は比較的少量の廃棄物質Ｗｐが、移送パイプのバットエンドエリアにおいてその収束セクション１２５近くに集まる。
【００３８】
移送手段１の復帰移動とともに収集された廃棄物質Ｗｐは、第２の補充空気ダクト１２２の補充空気弁１２４が開くと、出口端に向けての（図１８では左への）、物質移送システムの部分真空発生器の吸引により移送パイプ１００内につくり出された圧力差の補助によって、移送パイプ１００内で移送することができる。
【００３９】
図１９では、動作サイクルが完了しており、給送点６０の送込み容器６１は再度、あり得る物質を払拭されることができる。
【００４０】
したがって、本発明は、空気圧式廃棄物移送システムの配管内にある物質を移送する方法であって、本方法において、少なくとも１つの物質移送手段１が移送パイプ内に送り込まれ、圧力差がパイプ内に達成され、圧力差の影響下で、移送手段は、移送パイプセクション内の物質を移送するよう、移動させられる、方法に関する。本方法では、移送手段１、又は複数の移送手段１、１’の組合せ体を移送配管１００、１０１内で移動させ、移送手段１、又は複数の移送手段１、１’の組合せ体は、移送配管内での、移送手段１、又は複数の移送手段１、１’の組合せ体の移動を制限又はガイドする伝動手段２に接続されており、ダクト１６が、移送手段１内に第１の側から第２の側にかけて貫設されており、このダクトを通って、搬送空気が移送配管内に導かれる。
【００４１】
１つの実施形態によれば、伝動手段２は、少なくとも１つのリール３とリール３の駆動機構４とを含む移動機構３、４内に配設されている。
【００４２】
１つの実施形態によれば、伝動手段２は、リール３に巻取り及びリール３から繰出しされる、ワイヤ、ライン、ケーブル又は同等物のような伝動手段である。
【００４３】
１つの実施形態によれば、移送手段１又は複数の移送手段１、１’の組合せ体の移動速度は、例えばブレーキ機構５により緩められる。
【００４４】
１つの実施形態によれば、移送手段１又は複数の移送手段１、１’の組合せ体を、移動機構３、４を用いて伝動手段２により単独で、又は負圧及び／又は正圧と一緒に引っ張ることによって配管内で移動させる。
【００４５】
１つの実施形態によれば、移送手段１又は複数の移送手段１、１’の組合せ体を、開始位置から所望の距離だけ第１の方向に、次に、開始位置に戻る第２の方向に又は少なくとも開始位置の方向に、移送配管１００、１０１内で移動させる。
【００４６】
１つの実施形態によれば、移送配管１００、１０１内での移送手段１の移送距離は、伝動手段２に作用するブレーキ機構５によって、又はリール３からの伝動手段２の巻出しを制限することによって制限される。
【００４７】
１つの実施形態によれば、移送配管内での移送手段１の移動は、移送手段が開始位置から離れるように移動する際、移送手段の開始位置のパイプセクション１０１内の、パイプセクション１０１のバットエンド部７と移送手段１との間のスペース内に補充空気を取り込むことによって、又は、移送手段が開始位置に向かって移動する際、最も適切な補充空気ダクト１０２を介して、上記スペースから空気を除去することによって容易になる。
【００４８】
１つの実施形態によれば、移送手段１の移動は、移送手段の開始位置のパイプセクション１０１内の、パイプセクション１０１のバットエンド部７と移送手段１との間のスペース内に空気をもたらすことによって、ポンプ機構１１５の吹込み側を上記スペースに接続することによって、又は、開始位置のパイプセクション１０１の、パイプセクション１０１のバットエンド部７と、清掃手段１との間のスペースから、ポンプ機構１１５の吸引側を上記スペースに接続することにより空気を除去することによって容易になる。
【００４９】
１つの実施形態によれば、移送手段１に加え、清掃用液ＣＬが移送パイプ内にもたらされ、清掃用液を移送手段１又は移送手段１、１’とともに移送配管内で移動させる。
【００５０】
１つの実施形態によれば、移送手段１、１’と、移送パイプ１００、１０１の内面と移送手段との間のスペースＶ内にもたらされる清掃用液ＣＬとを、組合せ体として移動させる。
【００５１】
１つの実施形態によれば、本方法において、起こり得るパイプ閉塞もまた移送手段１により除去される。
【００５２】
１つの実施形態によれば、移送手段１は、移送配管内で遮断手段として用いられる。
【００５３】
１つの実施形態によれば、移送される物質の一部は、ダクト１４を通って進む空気流により移送手段の前から移送され、また、移送される物質の一部は、移送手段１により移送される。
【００５４】
本発明はまた、空気圧式廃棄物移送システムの、廃棄物質用の移送装置であって、装置は、移送パイプ内に配置される少なくとも１つの移送手段１を含み、この移送手段は、圧力差の影響下で、パイプ内にある物質を、清掃を意図されている移送パイプセクション内で少なくとも１つの方向に移送するよう、移動するように構成されている。移送手段１は、移送手段１の移動を制限又はガイドするように構成されている伝動手段２に接続されており、ダクト１６が、移送手段１内に第１の側から第２の側にかけて貫設されている。
【００５５】
１つの実施形態によれば、伝動手段は、少なくとも１つのリール３とリール３の駆動機構４とを含む移動機構３、４内に配設されている。
【００５６】
１つの実施形態によれば、伝動手段２は、リール３に巻取り及びリール３から繰出しされる、ワイヤ、ライン、ケーブル又は同等物のような伝動手段である。
【００５７】
１つの実施形態によれば、本装置は、ブレーキ機構５を備える。
【００５８】
１つの実施形態によれば、本装置は、補充空気ダクト１０２であって、弁手段１０４が設けられているとともに、移送手段１の開始位置のパイプセクション１０１の、パイプセクション１０１のバットエンド部７と移送手段１との間のセクション内に配置されている補充空気ダクト１０２を備える。
【００５９】
１つの実施形態によれば、本装置は、ポンプ機構１１５であって、ポンプ機構１１５の吸引側及び／又は吹込み側が、移送手段１の開始位置のパイプセクション１０１の、パイプセクション１０１のバットエンド部７と移送手段１との間のセクションに接続することができるポンプ機構１１５を備える。
【００６０】
１つの実施形態によれば、連結手段２’により互いに接続される複数の移送手段１、１’がある。
【００６１】
１つの実施形態によれば、本装置は、清掃用液ＣＬを、移送パイプ内に、好ましくは、移送手段１又は複数の移送手段１、１’との接続部内にもたらす手段を備える。
【００６２】
１つの実施形態によれば、移送手段１は、移送配管内で遮断手段として機能するように構成されている。
【００６３】
１つの実施形態によれば、逆止弁等の弁手段２０が、移送手段１のダクト１６内に配置される。
【００６４】
本発明はまた、空気圧式廃棄物移送システムであって、本システムは、移送配管と、移送配管内に移送される物質を給送する手段と、移送配管内で圧力差を達成する手段と、物質を搬送空気から分離する分離機構と、を備えるシステムに関する。本システムは、複数の移送機構を備え、この移送機構のそれぞれは、移送パイプ内に配置される少なくとも１つの移送手段１を含み、この移送手段は、圧力差の影響下で、パイプ内にある物質を移送パイプセクション内で少なくとも１つの方向に移送するよう、移動するように構成されており、移送手段１は、移送手段１の移動を制限又はガイドするように構成されている伝動手段２に接続されており、複数の移送機構の移送手段１（Ｉ）、１（ＩＩ）、１（ＩＩＩ）、１（ＩＶ）は、移送パイプセクション内に収集された物質を、所望の順Ｉ、ＩＩ、ＩＩ、ＩＶで、移送配管内で進行方向に、好ましくは分離機構に向けて移送するように構成されており、ダクト１６が、移送手段１内にその第１の側からその第２の側にかけて貫設されている。
【００６５】
１つの実施形態によれば、本システムにおいて、移送手段１（Ｉ）、１（ＩＩ）、１（ＩＩＩ）、１（ＩＶ）の移送距離は、移送順での前の清掃セクションの移送手段１（Ｉ）、１（ＩＩ）、１（ＩＩＩ）の移送移動距離、すなわち、移送パイプ内での移送距離が、移送順での次の清掃機構１（ＩＩ）、１（ＩＩＩ）、１（ＩＶ）の移送手段のパイプセクション内に常に僅かに延びるように取り決められており、パイプセクションから移送手段が進行方向に物質を移送する。
【００６６】
１つの実施形態によれば、移送装置の伝動手段２は、少なくとも１つのリール３とリール３の駆動機構４とを含む移動機構３、４内に配設されている。
【００６７】
１つの実施形態によれば、移送装置の伝動手段２は、リール３に巻取り及びリール３から繰出しされる、ワイヤ、ライン、ケーブル又は同等物のような伝動手段である。
【００６８】
１つの実施形態によれば、本システムにおいて、移送手段１を、移動機構３、４を用いて伝動手段２により単独で、又は負圧及び／又は正圧と一緒に引っ張ることによって配管内で復帰方向に移動させる。
【００６９】
１つの実施形態によれば、移送装置は、補充空気ダクト１０２であって、弁手段１０４が設けられているとともに、移送手段１の開始位置のパイプセクション１０１の、パイプセクション１０１のバットエンド部７と移送手段１との間のセクション内に配置されている補充空気ダクト１０２を備える。
【００７０】
１つの実施形態によれば、清掃装置は、ポンプ機構１１５であって、ポンプ機構１１５の吸引側及び／又は吹込み側が、移送手段１の開始位置のパイプセクション１０１の、パイプセクション１０１のバットエンド部７と移送手段１との間のセクションに接続することができるポンプ機構１１５を備える。
【００７１】
１つの実施形態によれば、連結手段２’により互いに接続される複数の移送手段１、１’がある。
【００７２】
１つの実施形態によれば、移送装置は、清掃用液ＣＬを、移送パイプ内に、好ましくは、移送手段１又は複数の移送手段１、１’との接続部内にもたらす手段を備える。
【００７３】
１つの実施形態によれば、本システムにおいて、移送手段１は、移送配管内で遮断手段として機能するように構成されている。
【００７４】
１つの実施形態によれば、移送手段１の移動は、伝動手段の移動を遅くすることによって速度を緩められる。
【００７５】
１つの実施形態によれば、逆止弁等の弁手段２０が、移送手段１のダクト１６内に配置される。
【００７６】
１つの実施形態によれば、移送手段１の移動は、伝動手段の動作を遅くすることによって速度を緩められる。通常、リールからの巻出しは、ブレーキ機構５により速度を緩められる。この場合、第１の方向への移送手段の移送速度を容易に調整することができる。これにより、場合によって清掃成果に影響を与えることもできる。
【００７７】
移送配管の直径は通常、５０ｍｍ〜５００ｍｍの範囲にある。
【００７８】
本発明による移送装置はまた、物質の移送に加えて若しくは物質の移送の代わりに、清掃、又は、配管内で生じる起こり得る閉塞を排除及び除去するのに用いることができる。
【００７９】
本発明の実施形態では、伝動手段により、移送手段が空気流とともに配管内に脱することが防止されると同時に、必要であれば移動速度を落とすことができる。移送手段は、吸引により外方に、圧力により内方に変位することができ、代替的には、伝動手段により内側に引っ張ることができる。伝動手段が移動機構により引っ張られ、配管内の圧力により移送手段が内側に押されることも意図することができる。ケーブルは、特にＹ分岐におけるガイドとしても機能し、他の場合では直進する。
【００８０】
移送手段は例えば、円筒形又は球形であるものとすることができるか、又は何らかの他の適した形状を有することができる。移送手段は、配管の内壁に対して十分により密接していると同時に、壁に蓄積している可能性のあるいかなる物質も壁から引き離すことによって清掃する。移送手段により、物質の移送の代わりに又は物質の移送に加えて、移送パイプの内面を清掃することができる。移送手段はこの場合、清掃手段である。
【００８１】
通常、物質移送システムの配管内に移送される物質は、袋にまとめられた廃棄物質、例えば家庭廃棄物又は分別された物質等の廃棄物質である。物質は、移送配管に沿って排出端に導かれ、そこで分離機構により搬送空気から分離され、廃棄物容器、搬送容器又は同等物内に移送される。
【００８２】
本発明は上記に示した実施形態に限定されず、本発明は添付の特許請求の範囲の範囲内で変更することができることは、当業者には明らかである。上記記載において他の特徴と関連して示された可能性のある特徴は、必要な場合、互いに別々に用いることができる。
【図１】
2015518806.tif 000003
【図２】
2015518806.tif 000004
【図３ａ】
2015518806.tif 000005
【図３ｂ】
2015518806.tif 000006
【図３ｃ】
2015518806.tif 000007
【図３ｄ】
2015518806.tif 000008
【図３ｅ】
2015518806.tif 000009
【図４】
2015518806.tif 000010
【図５】
2015518806.tif 000011
【図６】
2015518806.tif 000012
【図７】
2015518806.tif 000013
【図８】
2015518806.tif 000014
【図９】
2015518806.tif 000015
【図１０】
2015518806.tif 000016
【図１１】
2015518806.tif 000017
【図１２】
2015518806.tif 000018
【図１３】
2015518806.tif 000019
【図１４】
2015518806.tif 000020
【図１５】
2015518806.tif 000021
【図１６】
2015518806.tif 000022
【図１７】
2015518806.tif 000023
【図１８】
2015518806.tif 000024
【図１９】
2015518806.tif 000025
【国際調査報告】
2015518806.tif 000026
2015518806.tif 000027
2015518806.tif 000028
2015518806.tif 000029
2015518806.tif 000030